(57)【要約】【課題】本発明の課題は、光ケーブルのコネクタと牽引索の着脱を簡素化できると共に縒り戻し機能を付与でき、コネクタ付き光ケーブルの布設・配線作業の作業性を向上できる光ケーブル牽引装置及び方法を提供することにある。【解決手段】本発明は、コネクタ付き光ケーブルを配線する際に光ケーブルを牽引するための光ケーブル牽引装置であって、光ケーブルの一端に取り付けられたコネクタと接続するためのコネクタ接続部１６と、前記コネクタ接続部１６に回動自在に設けられ、牽引索が取り付けられる牽引索取付部１８とを具備することを特徴とするものである。【選択図】      図１
2007052278.tif 000002
【特許請求の範囲】
【請求項１】
コネクタ付き光ケーブルを配線する際に光ケーブルを牽引するための光ケーブル牽引装置であって、
光ケーブルの一端に取り付けられたコネクタと接続するためのコネクタ接続部と、
前記コネクタ接続部に回動自在に設けられ、牽引索が取り付けられる牽引索取付部と
を具備することを特徴とする光ケーブル牽引装置。
【請求項２】
コネクタ接続部の牽引索側端部及び牽引索取付部の牽引索側端部がそれぞれ曲線形状に形成されることを特徴とする請求項１に記載の光ケーブル牽引装置。
【請求項３】
コネクタ接続部の外面に、牽引方向にスリット溝が設けられることを特徴とする請求項１又は２に記載の光ケーブル牽引装置。
【請求項４】
請求項１乃至３のいずれかに記載の光ケーブル牽引装置を用い、牽引索取付部に牽引索を取り付けると共に、前記牽引索取付部及び牽引索にケーブルグリップを取り付け、その後、前記コネクタ接続部に光ケーブルのコネクタを接続した後、前記ケーブルグリップで前記牽引索取付部及びコネクタ接続部及び光ケーブルのコネクタを覆って後、牽引索により光ケーブルを牽引することを特徴とする光ケーブル牽引方法。
【発明の詳細な説明】
【技術分野】
【０００１】
本発明は、例えば屋内の配管等にコネクタ付き光ケーブルを布設・配線する際に光ケーブルを牽引するための光ケーブル牽引装置及び方法に関するものである。
【背景技術】
【０００２】
屋内の配管等に通信用ケーブルを布設・配線する場合には、配線を行う配管に予め牽引索、すなわちロープやワイヤを布設しておき、その牽引索と布設を行う通信用ケーブルを結合し、牽引索を巻き取ることにより、通信用ケーブルが布設される。このとき牽引索と布設される通信用ケーブルを接続する方法として、従来はケーブルグリップと呼ばれる牽引用具を通信用ケーブルにかぶせ、抜けないように針金等で固定している。さらに、牽引時には牽引索の縒りが戻るため縒り戻しが接続されている。この方法は、主に質量が大きく、牽引距離が長い地下配線ケーブルの布設時に利用されている。一方、屋内に布設される光ファイバケーブルは、地下配線ケーブルと異なり軽量、細径、短尺であるためケーブルグリップ等のけん引用具は使用せず、通信用ケーブルと牽引索を直接結びつけ布設を実施しているのが現状である。さらに、屋内において両端にコネクタが予め取り付けられている通信用ケーブルを布設する場合は、コネクタ部を柔軟性のある筒状のもので保護し、その筒状のものを牽引する方法、または、コネクタ付ケーブルにおいてコネクタをテンションメンバに固定し、テンションメンバを牽引する方法がある（例えば、特許文献１参照。）。
【０００３】
【特許文献１】特開２０００−２４１６９２号公報
【発明の開示】
【発明が解決しようとする課題】
【０００４】
従来の方法においては、牽引索と牽引用具の接続部分の構成として、ケーブル端、プーリングアイ、縒り戻し、牽引索アイ及び牽引索の構成となっている。この構成において、配管内に通信用ケーブルを布設する場合に、牽引索アイ、縒り戻し及びプーリングアイの部分がむき出し状態であり、管路の凹凸部分や曲がりの部分にて掛かり、牽引が困難になる場合がある。コネクタ付ケーブルの場合には、引っ掛かりによりコネクタ部の破損も想定される。また、牽引端から縒り戻しまでが個々の物品でありこれらを別々に取り付けるには、時間を要する作業となっている。
【０００５】
本発明は上記の事情に鑑みてなされたもので、光ケーブルのコネクタと接続するためのコネクタ接続部に、牽引索が取り付けられる牽引索取付部が回動自在に設けられることにより、光ケーブルのコネクタと牽引索の着脱を簡素化できると共に縒り戻し機能を付与でき、コネクタ付き光ケーブルの布設・配線作業の作業性を向上できる光ケーブル牽引装置及び方法を提供することを目的とする。
【課題を解決するための手段】
【０００６】
上記目的を達成するために本発明は、コネクタ付き光ケーブルを配線する際に光ケーブルを牽引するための光ケーブル牽引装置であって、光ケーブルの一端に取り付けられたコネクタと接続するためのコネクタ接続部と、前記コネクタ接続部に回動自在に設けられ、牽引索が取り付けられる牽引索取付部とを具備することを特徴とするものである。
【０００７】
また本発明の光ケーブル牽引装置は、コネクタ接続部の牽引索側端部及び牽引索取付部の牽引索側端部がそれぞれ曲線形状に形成されることを特徴とするものである。
【０００８】
また本発明の光ケーブル牽引装置は、コネクタ接続部の外面に、牽引方向にスリット溝が設けられることを特徴とするものである。
【０００９】
また本発明の光ケーブル牽引方法は、前記光ケーブル牽引装置を用い、牽引索取付部に牽引索を取り付けると共に、前記牽引索取付部及び牽引索にケーブルグリップを取り付け、その後、前記コネクタ接続部に光ケーブルのコネクタを接続した後、前記ケーブルグリップで前記牽引索取付部及びコネクタ接続部及び光ケーブルのコネクタを覆って後、牽引索により光ケーブルを牽引することを特徴とする。
【発明の効果】
【００１０】
本発明の光ケーブル牽引装置及び方法は、光ケーブルのコネクタと接続するためのコネクタ接続部に、牽引索が取り付けられる牽引索取付部が回動自在に設けられることにより、光ケーブルのコネクタと牽引索の着脱を簡素化できると共に縒り戻し機能を付与でき、コネクタ付き光ケーブルの布設・配線作業の作業性を向上できる効果がある。
【発明を実施するための最良の形態】
【００１１】
以下図面を参照して本発明の実施の形態例を詳細に説明する。
図１（ａ）は本発明の実施形態例に係る光ケーブル牽引装置を示す分解正面図であり、図１（ｂ）は本発明の実施形態例に係る光ケーブル牽引装置を示す分解平面図である。図１（ａ），（ｂ）に示すように、コネクタ付き光ケーブルを構成する光ケーブルの一端に取り付けられたＳＣ（Ｓｉｎｇｌｅ  ｆｉｂｅｒ  Ｃｏｕｐｌｉｎｇ）コネクタ１１は係止用突起１２を含むコネクタ本体１３に対してつまみ１４が軸方向に摺動できる。前記コネクタ本体１３の先端中心軸部にはフェルール１５が突出して設けられる。前記ＳＣコネクタ１１と接続するためのコネクタ接続部１６はＳＣアダプタと同様に構成され、ＳＣコネクタ１１が挿入されるコネクタ接続部１６の一端には凹部内に係止片（図示せず）が設けられる。前記コネクタ接続部１６の他端にはスイベル型のジョイント金具１７が取り付けられ、このジョイント金具１７には牽引索取付部１８が回動自在に取り付けられ縒り戻しを一体化させる。前記牽引索取付部１８には例えばロープもしくはワイヤ等の牽引索が取り付けられる。前記コネクタ接続部１６の牽引索側端部及び牽引索取付部１８の牽引索側端部がそれぞれ例えば円弧状等の曲線形状に形成される。
【００１２】
図２は本発明の実施形態例に係る光ケーブル牽引方法を説明するための平面図である。図２に示すように、図１（ａ），（ｂ）に示す光ケーブル牽引装置を用い、牽引索取付部１８に牽引索２１を取り付けると共に、前記牽引索取付部１８及び牽引索２１に例えば鋼鉄製のワイヤを格子状に編んで網目構造にしたケーブルグリップ２２を取り付ける。ケーブルグリップ２２は牽引索２１に針金２３により取り付けられる。その後、前記コネクタ接続部１６に光ケーブル２４のＳＣコネクタ１１を接続した後、前記ケーブルグリップ２２で牽引索取付部１８及びコネクタ接続部１６及び光ケーブル２４のＳＣコネクタ１１を被せて覆って後、牽引索２１によりコネクタ付き光ケーブルを配管内に牽引する。このように、ケーブルグリップ２２で牽引索取付部１８及びコネクタ接続部１６及び光ケーブル２４のＳＣコネクタ１１を被せて覆うことにより、配線する管路に引っ掛かる可能性をもつ突起部分をなくしたものである。さらにこのケーブルグリップ２２については、牽引力を請け負う必要がないため、牽引する光ケーブル２４への固定は不要である。
【００１３】
尚、ＳＣコネクタ１１の挿抜はつまみ１４の操作によって行う。すなわち、ＳＣコネクタ１１をコネクタ接続部１６の凹部内にフェルール１５を収納するように挿入すると、ＳＣコネクタ１１の係止用突起１２がコネクタ接続部１６の係止片に結合し、ＳＣコネクタ１１がロックされる。ＳＣコネクタ１１を引き抜く場合はつまみ１４を後方に引くと、つまみ１４の動きによってコネクタ接続部１６の係止片が広がり、ロックが解除されてＳＣコネクタ１１が抜去される。
【００１４】
また、ケーブルグリップ２２は、従来のケーブル牽引に使用されるものに比べるとケーブルを把持し牽引張力をまかなう必要がなく、配管内壁との摩擦軽減、及び牽引索取付部１８、コネクタ接続部１６、ＳＣコネクタ１１の保護を主眼とした材質及び形状でよく、例えば柔軟性のゴムチューブや化学繊維で作成したケーブルグリップでもよい。
【００１５】
また、牽引索取付部１８は縒り戻しを一体化させ、配線時に生じた縒りを牽引索取付部１８の回転によって随時解消できるように、牽引索取付部１８とコネクタ接続部１６を分離し、両者をスイベル型のジョイント金具１７で繋いでいる。
【００１６】
さらに、コネクタ接続部１６の牽引索側端部及び牽引索取付部１８の牽引索側端部をそれぞれ例えば円弧状等の曲線形状に形成することにより、配管内壁との摩擦を小さくしている。
【００１７】
また、コネクタ接続部１６の内部をＳＣアダプタと同様な構造とすることにより、ＳＣコネクタ１１はコネクタ接続部１６に挿入することで簡単に着脱でき、牽引時破損することも防ぐことができる。
【００１８】
図３（ａ），（ｂ），（ｃ）は本発明の他の実施形態例に係るコネクタ接続部を説明するための正面図、平面図、側面図である。図３（ａ），（ｂ），（ｃ）に示すように、コネクタ接続部３１の外周面には複数のスリット溝３２が牽引方向に設けられる。このように、スリット溝３２を設けることにより、牽引時、配管内壁とコネクタ接続部３１の接触面積を減らし、摩擦力を低減することができる。
【００１９】
以上のように、ＳＣコネクタをコネクタ接続部に挿入し、コネクタ接続部の牽引索側端部及び牽引索取付部の牽引索側端部を曲線形状に形成し、さらにケーブルグリップを被せることにより、牽引時の張力を小さくすることができ、牽引時にＳＣコネクタを破損する可能性が少なくなる。また、コネクタ接続部、牽引索、及びケーブルグリップの組み立てを行った後に牽引する光ケーブルのＳＣコネクタをコネクタ接続部に接続する方法なので、着脱が簡単で時間短縮になる。さらに、光ケーブルのＳＣコネクタのフェルール部分がコネクタ接続部内へ収納されるため、フェルールを含むＳＣコネクタ先端面を保護することができる。また、コネクタ接続部に回動自在に牽引索取付部を取付けた光ケーブル牽引装置を用いることにより、ＳＣコネクタ及び牽引索の装着を簡素化でき、光ケーブル牽引の作業性を向上することができる。
【００２０】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２１】
【図１】（ａ）、（ｂ）は本発明の実施形態例に係る光ケーブル牽引装置を示す分解正面図、分解平面図である。
【図２】本発明の実施形態例に係る光ケーブル牽引方法を説明するための平面図である。
【図３】（ａ），（ｂ），（ｃ）は本発明の他の実施形態例に係るコネクタ接続部を説明するための正面図、平面図、側面図である。
【符号の説明】
【００２２】
１１…ＳＣコネクタ、１２…係止用突起、１３…コネクタ本体、１４…つまみ、１５…フェルール、１６…コネクタ接続部、１７…スイベル型のジョイント金具、１８…牽引索取付部。
【図１】
2007052278.tif 000003
【図２】
2007052278.tif 000004
【図３】
2007052278.tif 000005